(57)【要約】【課題】フレキシブル基板のベゼルケースから引き出されている引出部分を確実に固定して、フレキシブル基板の曲げ応力が端子部との接続部分に加えられないようにする。【解決手段】外枠としての金属製のベゼルケース５０内に、端子部にフレキシブル基板２０の一端が接続されている表示パネルが収納されており、フレキシブル基板２０がベゼルケース５０の端子部と対向する側枠５２の開口部５３から引き出されている表示装置において、ベゼルケース５０の上記開口部５３の縁に外側に張り出す舌片５５を設け、フレキシブル基板２０のベゼルケース５０からの引出部分２４を所定の固定手段（例えば係止爪５６）により舌片５５に固定する。【選択図】図１
2008058697.tif 000002
【特許請求の範囲】
【請求項１】
外枠としての金属製のベゼルケース内に、端子部にフレキシブル基板の一端が接続されている表示パネルが収納されており、上記フレキシブル基板が上記ベゼルケースの上記端子部と対向する側枠の開口部から引き出されている表示装置において、
上記ベゼルケースは上記開口部の縁から外側に張り出す舌片を備え、上記フレキシブル基板の上記ベゼルケースからの引出部分が所定の固定手段により上記舌片に固定されていることを特徴とする表示装置。
【請求項２】
上記舌片が上記開口部を形成するため上記側枠から切り起こされた切り起こし片からなることを特徴とする請求項１に記載の表示装置。
【請求項３】
上記固定手段が上記舌片の端縁に屈曲可能に連設された係止爪からなることを特徴とする請求項１または２に記載の表示装置。
【請求項４】
上記固定手段が両面接着テープを含む接着材からなることを特徴とする請求項１または２に記載の表示装置。
【請求項５】
上記フレキシブル基板は電気絶縁膜により被覆された電気的なグランド層を有し、上記引出部分には上記グランド層の一部分に含まれる外部に露出されたグランド電極部が形成されており、上記グランド電極部にて上記グランド層と上記舌片とが電気的に接続されていることを特徴する請求項１ないし４のいずれか１項に記載の表示装置。
【発明の詳細な説明】
【技術分野】
【０００１】
本発明は、端子部にフレキシブル基板の一端が接続されている表示パネルを外枠としてのベゼルケース内に収納してなる液晶表示装置に関し、さらに詳しく言えば、ベゼルケースから引き出されるフレキシブル基板の支持構造に関するものである。
【背景技術】
【０００２】
表示パネルには、液晶表示パネルのほかに有機ＥＬパネルやプラズマディスプレイパネルなどがあるが、いずれにしても信号入力用の端子部を備え、最終製品の表示装置とする場合、端子部に駆動信号供給用のフレキシブル基板が接続され、透過型・半透過型の機種ではバックライトと組み合わされた状態で外枠としてのベゼルケース内に収納される。
【０００３】
その一例を図８ないし図１０により説明する。図８は正面図，図９は図８のＣ−Ｃ線断面図，図１０は端子部の部分拡大図である。この表示装置は、表示パネルとして液晶表示パネル１０を用いた液晶表示装置である。
【０００４】
液晶表示パネル１０は、ＩＴＯなどにより透明電極が形成された一対の透明電極基板１１，１２を図示しない周辺シール材を介して貼り合わせてセルを形成し、そのセル内にＴＮやＳＴＮなどの所定の液晶物質を封入することにより形成されるが、少なくとも一方の透明電極基板、この例では図１０に示すように、反観察面側（裏面側）の透明電極基板１２に端子部１２ａが設けられている。また、各透明電極基板１１，１２の外面には偏光板１３，１３が貼着される。
【０００５】
図示しないが、端子部１２ａには液晶表示パネル１０の表示部内の透明電極に連なる引出電極が形成されており、この端子部１２ａにフレキシブル基板２０の一端側の接続部２１が例えば異方性導電接着手段を介して電気的・機械的に接続される。
【０００６】
フレキシブル基板２０の接続部２１には上記引出電極と対向する図示しない接続電極が形成されており、また、フレキシブル基板２０の他端には図示しない制御回路基板に接続される雄コネクタ２２が設けられている。
【０００７】
この例での液晶表示パネル１０は透過型もしくは半透過型であるため、液晶表示パネル１０の裏面側にバックライト３０が配置される。バックライト３０には直下型とサイドライト型とがあるが、この例では、導光板３１の側方に光源（多くの場合、発光ダイオード）３２を配置してなるサイドライト型が適用されている。
【０００８】
図９に示すように、液晶表示パネル１０とバックライト３０は、内枠としてのホルダ４０内に収納される。通常、ホルダ４０は上面が開放された底の浅い合成樹脂製の箱体で、この例では、ホルダ４０の底面の四隅にこの液晶表示装置を図示しない所定の場所にネジ止めするためのボス４１が設けられている。
【０００９】
ホルダ４０内に液晶表示パネル１０とバックライト３０を収納したのち、外枠としてのベゼルケース５０が被せられる。すなわち、液晶表示パネル１０とバックライト３０はホルダ４０を介してベゼルケース５０内に収納される。
【００１０】
多くの場合、ベゼルケース５０は上面に表示窓５１を有する底面が開放された金属製の枠体からなり、端子部１２ａと対向する側枠５２にフレキシブル基板２０を外部に引き出すための開口部５３が形成されている。
【００１１】
通常、ホルダ４０の底面側に上記制御回路基板が配置されるため、開口部５３から引き出されたフレキシブル基板２０は、図１０に示すように、ホルダ４０の底面側に向けてほぼ１８０゜折り曲げられる。
【００１２】
そのため、端子部１２ａに接続されているフレキシブル基板２０の接続部２１に大きな曲げ応力がかかり、これに振動や衝撃がさらに加えられると、端子部１２ａからフレキシブル基板２０が剥がれてしまうおそれがある。
【００１３】
そこで従来では、端子部１２ａとフレキシブル基板２０との接続部分を補強するため、図１０に示すように、端子部１２ａの端面からフレキシブル基板２０にかけて例えばシリコーン樹脂や紫外線硬化型樹脂などの樹脂材２３を塗布するようにしている。
【発明の開示】
【発明が解決しようとする課題】
【００１４】
しかしながら、樹脂材２３による補強では高い信頼性が得られない。すなわち、樹脂材２３は温度や湿度などにより劣化し、経時的にも劣化が進行する。また、端子部１２ａの板厚も０．７ｍｍ程度であることから、端子部１２ａの端面からフレキシブル基板２０にかけて樹脂材２３を塗布するにしても、その塗布量はわずかであるため、長期間にわたっての有効な補強対策とは言えない。
【００１５】
したがって、本発明の課題は、フレキシブル基板のベゼルケースから引き出されている引出部分を確実に固定して、フレキシブル基板の曲げ応力が端子部との接続部分に加えられないようにすることにある。
【課題を解決するための手段】
【００１６】
上記課題を解決するため、請求項１に記載の発明は、外枠としての金属製のベゼルケース内に、端子部にフレキシブル基板の一端が接続されている表示パネルが収納されており、上記フレキシブル基板が上記ベゼルケースの上記端子部と対向する側枠の開口部から引き出されている表示装置において、上記ベゼルケースは上記開口部の縁から外側に張り出す舌片を備え、上記フレキシブル基板の上記ベゼルケースからの引出部分が所定の固定手段により上記舌片に固定されていることを特徴としている。
【００１７】
請求項２に記載の発明は、上記舌片が上記開口部を形成するため上記側枠から切り起こされた切り起こし片からなることを特徴としている。
【００１８】
請求項３に記載の発明は、上記固定手段が上記舌片の端縁に屈曲可能に連設された係止爪からなることを特徴としている。
【００１９】
請求項４に記載の発明は、上記固定手段が両面接着テープを含む接着材からなることを特徴としている。
【００２０】
請求項５に記載の発明は、上記フレキシブル基板は電気絶縁膜により被覆された電気的なグランド層を有し、上記引出部分には上記グランド層の一部分に含まれる外部に露出されたグランド電極部が形成されており、上記グランド電極部にて上記グランド層と上記舌片とが電気的に接続されていることを特徴している。
【発明の効果】
【００２１】
請求項１に記載の発明によれば、フレキシブル基板が引き出されるベゼルケースの開口部に外側に張り出す舌片を設けて、この舌片にてフレキシブル基板の引出部分を固定するようにしたことにより、フレキシブル基板をベゼルケースに対して確実に固定することができる。
【００２２】
請求項２に記載の発明によれば、舌片を開口部を形成するため側枠から切り起こされた切り起こし片としたことにより、舌片をベゼルケースと一体に形成することができる。
【００２３】
請求項３に記載の発明によれば、舌片に対するフレキシブル基板の固定手段を舌片の端縁に屈曲可能に連設された係止爪としたことにより、係止爪をフレキシブル基板側に向けて折り曲げるだけの簡単な作業で確実にフレキシブル基板を固定できる。また、取り外しも容易に行うことができる。
【００２４】
請求項４に記載の発明によれば、舌片に対するフレキシブル基板の固定手段として両面接着テープを含む接着材を用いることにより、ワンタッチ的なより簡単な作業で確実にフレキシブル基板を固定することができる。
【００２５】
請求項５に記載の発明によれば、フレキシブル基板が電気絶縁膜により被覆された電気的なグランド層を有しいてる場合、引出部分にグランド層の一部分に含まれる外部に露出されたグランド電極部を形成し、グランド電極部にてグランド層と舌片とを電気的に接続することにより、電磁波対策などを有効に行うことができる。
【発明を実施するための最良の形態】
【００２６】
次に、図１ないし図７により本発明のいくつかの実施形態について説明するが、本発明はこれに限定されるものではない。
【００２７】
まず、図１ないし図４を参照して本発明の第１実施形態について説明する。図１はベゼルケースとフレキシブル基板とを分離して示す正面図，図２は組み立てられた表示装置の正面側斜視図，図３はその背面側斜視図，図４は図２のＡ−Ａ線断面図である。なお、先の図８ないし図１０で説明した従来例と変更を要しない構成要素には同じ参照符号を付している。
【００２８】
この第１実施形態においても、図４に示すように、先に説明した従来例と同じく表示パネルとして液晶表示パネル１０を用いており、その端子部１２ａにはフレキシブル基板２０の一端側の接続部２１が例えば異方性導電接着手段を介して電気的・機械的に接続されている。
【００２９】
液晶表示パネル１０が透過型もしくは半透過型の場合、液晶表示パネル１０の裏面側にバックライト３０が配置される。バックライト３０には直下型とサイドライト型とがあるが、この例では、導光板３１の側方に光源（多くの場合、発光ダイオード）３２を配置してなるサイドライト型が適用されている。
【００３０】
液晶表示パネル１０とバックライト３０は、内枠としてのホルダ４０内に重ねて配置される。ホルダ４０は上面が開放された底の浅い合成樹脂製の箱体からなり、図３に示すように、ホルダ４０の底面の四隅には、この液晶表示装置を図示しない所定の場所にネジ止めするためのボス４１が設けられている。
【００３１】
ホルダ４０内に液晶表示パネル１０とバックライト３０を収納したのち、外枠としてのベゼルケース５０が被せられる。すなわち、液晶表示パネル１０とバックライト３０はホルダ４０を介してベゼルケース５０内に収納される。
【００３２】
なお、液晶表示パネル１０が反射型の場合、バックライト３０は不要であるため、ホルダ４０を介することなく液晶表示パネル１０が所定のクッション材などを介して直接ベゼルケース５０内に収納されることもある。
【００３３】
ベゼルケース５０は上面に表示窓５１を有する底面が開放された金属製の枠体からなり、端子部１２ａと対向する側枠５２にフレキシブル基板２０を外部に引き出すための開口部５３が形成されている。
【００３４】
本発明によると、図１，図２に示すように、開口部５３の縁にフレキシブル基板２０と平行に外側に張り出す舌片５５が設けられ、この舌片５５にフレキシブル基板２０のベゼルケース５０からの引出部分２４が固定される。
【００３５】
舌片５５をベゼルケース５０とは別に作成してベゼルケース５０に取り付けるようにしてもよいが、この第１実施形態では、側枠５２の一部分を上方に切り起こして開口部５３を形成するとともに、その切り起こし片を舌片５５としている。これよれば、１枚の金属板の打ち抜き加工により舌片５５をベゼルケース５０と一体に形成できる。
【００３６】
舌片５５の端縁には、フレキシブル基板２０に対する固定手段としての屈曲可能な可塑性の係止爪５６が形成されている。この係止爪５６は上記金属板の打ち抜き加工により舌片５５と一体に形成できる。この例では、舌片５５の長辺側と短辺側とにそれぞれ１つの係止爪５６が設けられているが、その位置および数は任意に決められてよい。
【００３７】
この第１実施形態によれば、図３に示すように、係止爪５６を舌片５５に添設されているフレキシブル基板２０側に向けてほぼ１８０゜折り曲げることにより、フレキシブル基板２０の引出部分２４を舌片５５に固定することができる。
【００３８】
これにより、図１０に示したように、フレキシブル基板２０の雄コネクタ２２側をホルダ４０の底面に配置されている図示しない制御回路基板側に向けてほぼ１８０゜折り曲げたとしても、その曲げ応力が端子部１２ａとの接続部分に加わることはない。しかも、係止爪５６は外力を加えないかぎり固定状態を維持するため、信頼性の高い固定状態が得られる。
【００３９】
より信頼性を高めるには、図５に示す第２実施形態として、フレキシブル基板２０の引出部分２４の係止爪５６にて押さえられる部分に、例えば銅箔材よりなるはんだ付け部２５を形成し、このはんだ付け部２５に係止爪５６をはんだ付けするとよい。
【００４０】
次に、図６，図７により本発明の第３実施形態について説明する。この第３実施形態において、図７の断面図に示すように、フレキシブル基板２０は、ベースフィルム２０１の一方の面（図７で下面側）に銅箔よりなる配線層２０２を備えるとともに、ベースフィルム２０１の他方の面（図７で上面側）に銅箔のベタパターンよりなるグランド層２０４を備えている。配線層２０２およびグランド層２０４は、それぞれ電気絶縁膜２０３，２０５にて被覆されている。
【００４１】
このような場合、図６に示すように、フレキシブル基板２０の引出部分２４にグランド層２０４側の電気絶縁膜２０５に開口２０６を形成して、その開口２０６内にグランド層２０４の一部分を露出させる。そして、開口２０６内に導電接着テープ６０を配置して、導電接着テープ６０によりフレキシブル基板２０のグランド層２０４と舌片５５とを電気的・機械的に接続する。
【００４２】
これによれば、ベゼルケース５０がグランド層２０４を介して図示しない制御回路基板のアースに接続されることになり、例えば携帯電話機から放射される電磁波などの外乱による表示の乱れを防止することができる。なお、図５の第２実施形態におけるはんだ付け部２５をフレキシブル基板２０のグランド層２０４と導通させても、同様な効果が得られる。
【００４３】
以上、図示の例により本発明の実施形態について説明したが、舌片５５に対するフレキシブル基板２０の固定手段として、両面接着（粘着）テープを使用することもでき、場合によっては、係止爪と両面接着（粘着）テープを併用してもよい。また、表示パネルは有機ＥＬパネルやプラズマディスプレイパネルであってもよい。
【図面の簡単な説明】
【００４４】
【図１】本発明の第１実施形態でのベゼルケースとフレキシブル基板とを分離して示す正面図。
【図２】上記第１実施形態に係る表示装置の正面側斜視図。
【図３】上記第１実施形態に係る表示装置の背面側斜視図。
【図４】図２のＡ−Ａ線断面図。
【図５】本発明の第２実施形態に係る表示装置の背面側斜視図。
【図６】本発明の第２実施形態に係る表示装置の要部分解斜視図。
【図７】図６のＢ−Ｂ線断面図。
【図８】従来の表示装置を示す正面図。
【図９】図８のＣ−Ｃ線断面図。
【図１０】上記従来の表示装置における端子部を示す部分拡大図。
【符号の説明】
【００４５】
１０  液晶表示パネル
１２ａ  端子部
２０  フレキシブル基板
２０６  グランド層
２１  接続部
２２  雄コネクタ
２４  引出部分
２５  はんだ付け部
３０  バックライト
４０  ホルダ
５０  ベゼルカバー
５１  表示窓
５２  側枠
５３  開口部
５５  舌片
５６  係止爪
６０  導電接着テープ
【図１】
2008058697.tif 000003
【図２】
2008058697.tif 000004
【図３】
2008058697.tif 000005
【図４】
2008058697.tif 000006
【図５】
2008058697.tif 000007
【図６】
2008058697.tif 000008
【図７】
2008058697.tif 000009
【図８】
2008058697.tif 000010
【図９】
2008058697.tif 000011
【図１０】
2008058697.tif 000012